【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置であって、
前記往路方向の走査における前記第１の吐出口列の記録位置と前記復路方向の走査における前記第２の吐出口列の記録位置との第１のずれ量を取得するためのパターンを前記記録媒体上に記録させる制御手段と、
前記パターンより前記第１のずれ量を取得する取得手段と、
前記取得手段の取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正手段と
を有することを特徴とするインクジェット記録装置。
【請求項２】
共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置であって、
前記往路方向の走査における前記第２の吐出口列の記録位置と前記復路方向の走査における前記第１の吐出口列の記録位置との第１のずれ量を取得するためのパターンを前記記録媒体上に記録させる制御手段と、
前記パターンより前記第１のずれ量を取得する取得手段と、
前記取得手段の取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正手段と
を有することを特徴とするインクジェット記録装置。
【請求項３】
前記制御手段は、
前記記録ヘッドの前記往路方向または前記復路方向の走査において、前記第１の吐出口列の記録位置と前記第２の吐出口列の記録位置との第２のずれ量を取得するためのパターンを前記記録媒体上にさらに記録させ、
前記取得手段は、
前記さらに記録したパターンより前記第２のずれ量を取得し、
前記補正手段は、
前記取得手段の取得した前記第１のずれ量と前記第２のずれ量とに基づいて、前記第１の吐出口列の往路方向の走査における記録位置と復路方向の走査における記録位置とのずれを補正する
ことを特徴とする請求項１または２に記載のインクジェット記録装置。
【請求項４】
第１のインクおよび第２のインクについて、共通液室から供給されるインクを吐出するための複数の吐出口を配列した第１の吐出口列および第２の吐出口列を備える記録ヘッドを所定方向に走査させ、前記所定方向の走査で記録媒体上の同一位置に第１の吐出口列、第２の吐出口列の順にインクを吐出させることにより記録媒体に画像を記録する記録装置であって、
前記所定方向の走査における前記第１のインクの前記第１の吐出口列の記録位置と前記第２のインクの前記第２の吐出口列の記録位置とのずれ量を取得するためのパターンを前記記録媒体上に記録させる制御手段と、
前記パターンよりずれ量を取得する取得手段と、
前記取得手段の取得したずれ量に基づいて、前記所定方向における前記第１のインクの前記第１の吐出口列の記録位置と前記第２のインクの前記第１の吐出口列の記録位置とのずれ、および前記所定方向における前記第１のインクの前記第２の吐出口列の記録位置と前記第２のインクの前記第２の吐出口列の記録位置とのずれを補正する補正手段と
を有することを特徴とするインクジェット記録装置。
【請求項５】
前記記録媒体に記録されたパターンを読み取るための光学センサを更に有し、
前記取得手段は、
前記光学センサの読取り結果に基づいて前記記録位置のずれ量を取得する
ことを特徴とする請求項１から４のいずれか１項に記載のインクジェット記録装置。
【請求項６】
共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置における記録位置合せ方法であって、
前記往路方向の走査における前記第１の吐出口列の記録位置と前記復路方向の走査における前記第２の吐出口列の記録位置との第１のずれ量を取得するためのパターンを前記記録媒体上に記録させる記録工程と、
前記記録工程において記録されたパターンより前記第１のずれ量を取得する取得工程と、
前記取得工程において取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正工程と
を有することを特徴とする記録位置合せ方法。
【請求項７】
共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置における記録位置合せ方法であって、
前記往路方向の走査における前記第２の吐出口列の記録位置と前記復路方向の走査における前記第１の吐出口列の記録位置との第１のずれ量を取得するためのパターンを前記記録媒体上に記録させる記録工程と、
前記記録工程において記録されたパターンより前記第１のずれ量を取得する取得工程と、
前記取得工程において取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正工程と
を有することを特徴とする記録位置合せ方法。
【請求項８】
前記記録工程では、
前記記録ヘッドの前記往路方向または前記復路方向の走査において、前記第１の吐出口列の記録位置と前記第２の吐出口列の記録位置との第２のずれ量を取得するためのパターンを前記記録媒体上にさらに記録させ、
前記取得工程では、
前記記録工程においてさらに記録したパターンより前記第２のずれ量を取得し、
前記補正工程では、
前記取得工程において取得した前記第１のずれ量と前記第２のずれ量とに基づいて、前記第１の吐出口列の往路方向の走査における記録位置と復路方向の走査における記録位置とのずれを補正する
ことを特徴とする請求項６または７に記載の記録位置合せ方法。
【請求項９】
第１のインクおよび第２のインクについて、共通液室から供給されるインクを吐出するための複数の吐出口を配列した第１の吐出口列および第２の吐出口列を備える記録ヘッドを所定方向に走査させ、前記所定方向の走査で記録媒体上の同一位置に第１の吐出口列、第２の吐出口列の順にインクを吐出させることにより記録媒体に画像を記録する記録装置における記録位置合せ方法であって、
前記所定方向の走査における前記第１のインクの前記第１の吐出口列の記録位置と前記第２のインクの前記第２の吐出口列の記録位置とのずれ量を取得するためのパターンを前記記録媒体上に記録させる記録工程と、
前記記録工程において記録されたパターンよりずれ量を取得する取得工程と、
前記取得工程において取得したずれ量に基づいて、前記所定方向における前記第１のインクの前記第１の吐出口列の記録位置と前記第２のインクの前記第１の吐出口列の記録位置とのずれ、および前記所定方向における前記第１のインクの前記第２の吐出口列の記録位置と前記第２のインクの前記第２の吐出口列の記録位置とのずれを補正する補正工程と
を有することを特徴とする記録位置合せ方法。
【手続補正２】
【補正対象書類名】明細書
【補正対象項目名】発明の名称
【補正方法】変更
【補正の内容】
【発明の名称】インクジェット記録装置及び記録位置合せ方法
【手続補正３】
【補正対象書類名】明細書
【補正対象項目名】０００１
【補正方法】変更
【補正の内容】
【０００１】
本発明は、インクジェット記録装置及び記録位置合せ方法に関する。
【手続補正４】
【補正対象書類名】明細書
【補正対象項目名】００１９
【補正方法】変更
【補正の内容】
【００１９】
したがって本発明は、上述の課題を解決すべく成されたもので、記録ヘッドの走査に伴なうスプラッシュやミストの発生を十分に抑制し、高品質な画像を安定的して得ることができるインクジェット記録装置及び記録位置合せ方法の提供を目的とする。
【手続補正５】
【補正対象書類名】明細書
【補正対象項目名】００２１
【補正方法】変更
【補正の内容】
【００２１】
すなわち、本発明の一態様は、共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置であって、
前記往路方向の走査における前記第１の吐出口列の記録位置と前記復路方向の走査における前記第２の吐出口列の記録位置との第１のずれ量を取得するためのパターンを前記記録媒体上に記録させる制御手段と、
前記パターンより前記第１のずれ量を取得する取得手段と、
前記取得手段の取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正手段と
を有することを特徴とする。
【手続補正６】
【補正対象書類名】明細書
【補正対象項目名】００２２
【補正方法】変更
【補正の内容】
【００２２】
また、本発明の一態様は、共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置であって、
前記往路方向の走査における前記第２の吐出口列の記録位置と前記復路方向の走査における前記第１の吐出口列の記録位置との第１のずれ量を取得するためのパターンを前記記録媒体上に記録させる制御手段と、
前記パターンより前記第１のずれ量を取得する取得手段と、
前記取得手段の取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正手段と
を有することを特徴とする。
【手続補正７】
【補正対象書類名】明細書
【補正対象項目名】００２３
【補正方法】変更
【補正の内容】
【００２３】
また、本発明の一態様は、第１のインクおよび第２のインクについて、共通液室から供給されるインクを吐出するための複数の吐出口を配列した第１の吐出口列および第２の吐出口列を備える記録ヘッドを所定方向に走査させ、前記所定方向の走査で記録媒体上の同一位置に第１の吐出口列、第２の吐出口列の順にインクを吐出させることにより記録媒体に画像を記録する記録装置であって、
前記所定方向の走査における前記第１のインクの前記第１の吐出口列の記録位置と前記第２のインクの前記第２の吐出口列の記録位置とのずれ量を取得するためのパターンを前記記録媒体上に記録させる制御手段と、
前記パターンよりずれ量を取得する取得手段と、
前記取得手段の取得したずれ量に基づいて、前記所定方向における前記第１のインクの前記第１の吐出口列の記録位置と前記第２のインクの前記第１の吐出口列の記録位置とのずれ、および前記所定方向における前記第１のインクの前記第２の吐出口列の記録位置と前記第２のインクの前記第２の吐出口列の記録位置とのずれを補正する補正手段と
を有することを特徴とする。
【手続補正８】
【補正対象書類名】明細書
【補正対象項目名】００２４
【補正方法】変更
【補正の内容】
【００２４】
また、本発明の一態様は、共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置における記録位置合せ方法であって、
前記往路方向の走査における前記第１の吐出口列の記録位置と前記復路方向の走査における前記第２の吐出口列の記録位置との第１のずれ量を取得するためのパターンを前記記録媒体上に記録させる記録工程と、
前記記録工程において記録されたパターンより前記第１のずれ量を取得する取得工程と、
前記取得工程において取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正工程と
を有することを特徴とする。
【手続補正９】
【補正対象書類名】明細書
【補正対象項目名】００２５
【補正方法】変更
【補正の内容】
【００２５】
また、本発明の一態様は、共通液室から供給されるインクを吐出するための複数の吐出口を配列した第１の吐出口列および第２の吐出口列を備える記録ヘッドを往路方向および復路方向に走査させ、前記往路方向の走査では記録媒体上の同一位置に第１の吐出口列、第２の吐出口列の順にインクを吐出させ、前記復路方向の走査では記録媒体上の同一位置に第２の吐出口列、第１の吐出口列の順にインクを吐出させて、記録媒体に画像を記録する記録装置における記録位置合せ方法であって、
前記往路方向の走査における前記第２の吐出口列の記録位置と前記復路方向の走査における前記第１の吐出口列の記録位置との第１のずれ量を取得するためのパターンを前記記録媒体上に記録させる記録工程と、
前記記録工程において記録されたパターンより前記第１のずれ量を取得する取得工程と、
前記取得工程において取得した第１のずれ量と、前記往路方向または前記復路方向の走査における前記第１の吐出口列の記録位置と前記第２の吐出口列の記録位置との第２のずれ量とに基づいて、前記第１の吐出口列の往路方向の走査における記録位置と復路方向の走査における記録位置とのずれを補正する補正工程と
を有することを特徴とする。
【手続補正１０】
【補正対象書類名】明細書
【補正対象項目名】００２６
【補正方法】変更
【補正の内容】
【００２６】
また、本発明の一態様は、第１のインクおよび第２のインクについて、共通液室から供給されるインクを吐出するための複数の吐出口を配列した第１の吐出口列および第２の吐出口列を備える記録ヘッドを所定方向に走査させ、前記所定方向の走査で記録媒体上の同一位置に第１の吐出口列、第２の吐出口列の順にインクを吐出させることにより記録媒体に画像を記録する記録装置における記録位置合せ方法であって、
前記所定方向の走査における前記第１のインクの前記第１の吐出口列の記録位置と前記第２のインクの前記第２の吐出口列の記録位置とのずれ量を取得するためのパターンを前記記録媒体上に記録させる記録工程と、
前記記録工程において記録されたパターンよりずれ量を取得する取得工程と、
前記取得工程において取得したずれ量に基づいて、前記所定方向における前記第１のインクの前記第１の吐出口列の記録位置と前記第２のインクの前記第１の吐出口列の記録位置とのずれ、および前記所定方向における前記第１のインクの前記第２の吐出口列の記録位置と前記第２のインクの前記第２の吐出口列の記録位置とのずれを補正する補正工程と
を有することを特徴とする。